(57)【要約】      （修正有）【課題】太陽電池を波板形状にしたトタン板、又はスレート波板(以下略して、トタン板とする)の表面上に形成する構造において、釘穴からの雨水の進入を防ぎ、トタン板に取り付けている太陽電池の薄膜が剥離しない、あるいは、釘を打ち付けた場所のトタン板が腐蝕をしない方法を提供する。【解決手段】波板形状をしたトタン板２を裏面から家屋の屋根材を構成している垂木３に取り付けることにより、波板形状をしたトタン板の表面上を一切損傷することなく、波板形状をしたトタン板を家屋の屋根材を構成している垂木に取り付けて固定をすることとし、波板形状をしたトタン板の表面上に、球形Si太陽電池面、強化ガラスと反射鏡からなる集光形太陽電池１を設置して、太陽電池の温度過熱を抑制するために、太陽電池下部）を波板形状トタン板の山部に密着して、トタン板からも放熱する構成とする。【選択図】図２８
2013177782.tif 000002
【特許請求の範囲】
【請求項１】
波板形状をしたトタン板（２）の表面上に太陽電池（１）を形成する目的のために、波板形状をしたトタン板（２）の裏面に垂木（３）を釘（４）を使用して、波板形状をしたトタン板（２）の裏面に垂木（３）を釘（４）を使用して、波板形状をしたトタン板（２）の裏面に垂木（３）を固定したあとの、波板形状をしたトタン板（２）の表面上に太陽電池（１）を形成したことを特徴としたトタン板（２）の表面上に太陽電池（１）を形成しているトタン板、及びその加工方法。
【請求項２】
波板形状をしたトタン板（２）の表面上に太陽電池（１）を形成する目的のために、波板形状をしたトタン板（２）の裏面に垂木（３）を固定する目的のために、ボルト（５）を溶接するか、又は金属接着剤を使用してボルト（５）を固定している、波板形状をしたトタン板（２）の裏面に垂木（３）をナット（６）を使用して、波板形状をしたトタン板（２）の裏面に垂木（３）を固定したあとの、波板形状をしたトタン板（２）の表面上に太陽電池（１）を形成したことを特徴としたトタン板（２）の表面上に太陽電池（１）を形成しているトタン板、及びその加工方法。
【請求項３】
波板形状をしたトタン板（２）の表面上に太陽電池（１）を形成する目的のために、波板形状をしたトタン板（２）に凹凸を形成している凹形状、又は凸形状の裏面に、凹形状、又は凸形状の方向にそって平行方向に垂木（３）を釘（４）を使用して、波板形状をしたトタン板（２）の裏面に垂木（３）を釘付けをして垂木（３）を固定をしたあとの、波板形状をしたトタン板（２）の表面上に太陽電池（１）を形成したことを特徴としたトタン板（２）の表面上に太陽電池（１）を形成しているトタン板、及びその加工方法。
【請求項４】
波板形状をしたトタン板（２）の表面上に太陽電池（１）を形成する目的のために、波板形状をしたトタン板（２）の裏面に垂木（３）を固定する目的のために、ボルト（５）を溶接するか、又は金属接着剤を使用してボルト（５）を波板形状をしたトタン板（２）の裏面に、波板の凹凸を形成している凹形状、又は凸形状の裏面に、凹形状、又は凸型の方向にそって平行方向に垂木（３）をボルト（５）、及びナット（６）を使用して、波板形状をしたトタン板（２）の裏面に垂木（３）を取り付けて固定をしたあとの、波板形状をしたトタン板（２）の表面上に太陽電池（１）を形成したことを特徴としたトタン板（２）の表面上に太陽電池（１）を形成しているトタン板、及びその加工方法。
【請求項５】
波板形状をしたトタン板（２）の表面上に太陽電池（１）を形成する目的のために、波板形状をしたトタン板（２）の裏面に垂木（３）を固定する目的のために、波板形状をしたトタン板（２）の裏面にナット（６）を溶接するか、又は金属接着剤を使用してナット（６）を固定している、波板形状をしたトタン板（２）の裏面に、垂木（３）をボルト（５）を使用して、波板形状をしたトタン板（２）の裏面に垂木（３）を固定をしたあとの、波板形状をしたトタン板（２）の表面上に太陽電池（１）を形成したことを特徴としたトタン板（２）の表面上に太陽電池（１）を形成したことを特徴としたトタン板、及びその加工方法。
【請求項６】
波板形状をしたトタン板（２）の表面上に太陽電池（１）を形成する目的のために、波板形状をしたトタン板（２）の裏面に垂木（３）を固定する目的のために、ボルト（５）を溶接するか、又は金属接着剤を使用してボルト（５）を波板形状をしたトタン板（２）の裏面に固定をしたあとの、波板形状をしたトタン板（２）の表面上に太陽電池（１）を形成したことを特徴としたトタン板（２）の表面上に太陽電池（１）を形成しているトタン板、及びその加工方法。
【請求項７】
波板形状をしたトタン板（２）の表面上に太陽電池（１）を形成する目的のために、波板形状をしたトタン板（２）の裏面に垂木（３）を固定する目的のために、波板形状をしたトタン板（２）の裏面にナット（６）を溶接するか、又は金属接着剤を使用してナット（６）を波板形状をしたトタン板（２）の裏面に固定をしたあとの、波板形状をしたトタン板（２）の表面上に太陽電池（１）を形成したことを特徴としたトタン板（２）の表面上に太陽電池（１）を形成しているトタン板、及びその加工方法。
【請求項８】
波板形状をしたトタン板（２）の表面上に太陽電池（１）を形成する目的のために、波板形状をしたトタン板（２）の裏面に垂木（３）を固定する目的のために、波板形状を
したトタン板（２）の裏面にフック（７）を溶接するか、又は金属接着剤を使用してフック（７）を波板形状をしたトタン板（２）の裏面に固定をしたあとの、波板形状をしたトタン板（２）の表面上に太陽電池（１）を形成したことを特徴としたトタン板（２）の表面上に太陽電池（１）を形成しているトタン板、及びその加工方法。
【請求項９】
平板で出来ているトタン板（８）の表面上に太陽電池（１）を形成する目的のために、平板で出来ているトタン板（８）の裏面に垂木（３）などを取り付ける目的のために、ボルト（５）を溶接するか、又は金属接着剤を使用してボルト（５）を固定したあとの、平板で出来ているトタン板（８）の表面上に太陽電池（１）を形成したことを特徴としたトタン板（２）の表面上に太陽電池（１）を形成しているトタン板、及びその加工方法。
【請求項１０】
平板で出来ているトタン板（８）の表面上に太陽電池（１）を形成する目的のために、平板で出来ているトタン板（８）の裏面に垂木（３）などを取り付ける目的のために、ナット（６）を溶接するか、又は金属接着剤を使用してナット（６）を固定したあとの、平板で出来ているトタン板（８）の表面上に太陽電池（１）を形成したことを特徴としたトタン板（２）の表面上に太陽電池（１）を形成しているトタン板、及びその加工方法。
【請求項１１】
平板で出来ているトタン板（８）の表面上に太陽電池（１）を形成する目的のために、平板で出来ているトタン板（８）の裏面に垂木（３）などを取り付ける目的のために、フック（７）を溶接するか、又は金属接着剤を使用してフック（７）を固定したあとの、平板で出来ているトタン板（８）の表面上に太陽電池（１）を形成したことを特徴としたトタン板（２）の表面上に太陽電池（１）を形成しているトタン板、及びその加工方法。
【請求項１２】
波板形状をしたトタン板（２）、又は平板で出来ているトタン板（８）の裏面にフック（７）、又はパッドアイ（７）、又はロングアイ（７）、又はオープンパッドアイ（７）、又はアイストラップ（７）、又はＵＫターンバックル（７）、（以下、略して、ナット、又はフック、又はアイとする）を取り付けるか、又は垂木（３）を取り付けている波板形状をしたトタン板（２）、又は平板で出来ているトタン板（８）の表面上に、多方面から太陽光線を集光することが出来る、発電効率が一段と高い球状シリコン太陽電池モジュールを形成した波板形状をしたトタン板（２）、又は平板で出来ているトタン板（８）の表面上に太陽電池（１）を形成しているトタン板を家屋の屋根を構成している垂木（３）、又は壁を構成している垂木（３）に、家屋の屋根の裏面、又は家屋を構成している壁の裏面から、波板形状をしたトタン板（２）、又は平板で出来ているトタン板（８）の表面上に太陽電池（１）を形成している、太陽電池（１）を取り付けて固定をすることを特徴とした太陽電池（１）を形成した波板形状をしたトタン板（２）、又は太陽電池（１）を形成した平板で出来ているトタン板（８）、及びその加工方法。
【請求項１３】
波板形状をしたトタン板（２）、又は平板で出来ているトタン板（８）（以下、略して、トタン板、又は鉄板とする）を構成している鉄板の表面上にアルミニウム（Ａｌ）５５％＋亜鉛（Ｚｎ）４３．４％＋珪素（Ｓｉ）１．６％の合金の母材が溶融をしているメッキ槽の内部に鉄板であるトタン板を浸してメッキをした、名称がガルバリウムメッキ加工（以下、略して、ガルバ鋼板、又は日新鋼板（株）が製造販売をしている商品名がガルバスター、又はＺＧとする）を行った波板形状をしたトタン板（２）、又は平板で出来ているトタン板（８）の表面上に太陽電池（１）を形成した、トタン板の表面上に太陽電池（１）を形成した表面上から家屋の屋根を構成している垂木（３）に釘（４）を使用して、直接に太陽電池（１）を形成している波板形状をしたトタン板（２）、又は平板で出来ているトタン板（８）を釘（４）を使用して垂木（３）にトタン板の上から打ち付けても、ガルバ鋼板で出来ているトタン板は防食性が高くて腐蝕に強いので、、ガルバ鋼板で出来ているトタン板の表面上に形成をした太陽電池（１）と、波板形状をしたトタン板（２）、又は平板で出来ているトタン板（８）との剥離の進行を、最も低下させることが出来るので、ガルバ鋼板で出来ている波板形状をしたトタン板（２）の表面上に太陽電池（１）を形成する。又は平板で出来ているトタン板（８）の表面上に太陽電池（１）を形成しているトタン板であれば、釘（４）を使用してトタン板の表面上から家屋の屋根を構成している垂木（３）に、直接にトタン板の表面上の面から釘（４）を使用して垂木（３）にトタン板を打ち付けることが出来ることを特徴とした太陽電池（１）を形成した波板形状をしたトタン板（２）、又は太陽電池（１）を形成した平板で出来ているトタン板（８）、及びその加工方法。
【請求項１４】
牛舎、及び堆肥舎の用途に適した波板形状をしたトタン板（２）、又は平板で出来ているトタン板（８）、（以下、略して、トタン板とする）の表面上にメッキ加工するのには、例えば、日新鋼板（株）が製造販売をしている耐アンモニア性、及び耐湿潤性に優れている、亜鉛（Ｚｎ）９１％＋アルミニウム（Ａｌ）６％＋マグネシウム（Ｍｇ）１％で出来ている金属が溶融をしているメッキ槽の内部にてドブヅケメッキ加工をした、商品名がＺＡＭ  鋼板を使用した波板形状をしたトタン板の表面上に太陽電池（１）を形成する。または、平板で出来ているトタン板（８）の表面上に太陽電池（１）を形成することを特徴とした太陽電池（１）を形成した波板形状をしたトタン板（２）、又は太陽電池（１）を形成した平板で出来ているトタン板（８）、及びその加工方法。
【請求項１５】
波板形状をしたトタン板（２）を裏面から家屋の屋根材を構成している垂木（３）を取り付けることにより、波板形状をしたトタン板（２）の表面上を一切損傷をすることなく、波板形状をしたトタン板（２）を家屋の屋根材を構成している垂木（３）に取り付けて固定をすることを特徴とした波板形状をしたトタン板（２）、又は平板で出来ているトタン板（８）、及びその加工方法。
【請求項１６】
波板形状をしたトタン板（２）の表面上に太陽電池（１）を取り付ける目的のために、波板形状をしたトタン板（２）と太陽電池（１）との中間に、発泡スチロール製板（１１）で出来ている両側面が平板形状で出来ている発泡スチロール製板（１１）を、波板形状をしたトタン板（２）と太陽電池（１）との中間に介在をさせたモジュールを波板形状をしたトタン板（２）の表面上に溶接部分（１３）、又は金属接着剤部分（１３）を使用して接合をしているボルト（５）、及びナット（６）を使用して、発泡スチロール製板（１１）で出来ている両側面が平板形状で出来ている発泡スチロール製板（１１）を中間に介在をさせて、この発泡スチロール製板（１１）の表面上に太陽電池（１）を接着層（１０）を形成して接合をさせたあと、さらに、ボルト（５）、及びナット（６）を使用して波板形状をしたトタン板（２）に太陽電池（１）を取り付けたあと、波板形状をしたトタン板（２）の裏面にフック（７）、又はパッドアイ（７）、又はロングアイ（７）、又はオープンパッドアイ（７）、又はアイストラップ（７）、又はＵＫターンバックル（７）、又はナット付Ｌ棒、（以下、略して、パッドアイとする）を、波板形状をしたトタン板（２）に取り付けたあと、波板形状をしたトタン板（２）の裏面に取り付けているパッドアイ（７）に、先端部分がｎ字形状をしたナット付きＬ棒を使用して、波板形状をしたトタン板（２）を家屋を構成している屋根材の垂木（３）に、波板形状をしたトタン板（２）の裏面から垂木（３）に、波板形状をしたトタン板（２）を先端部分がｎ字形状をしたナット付きＬ棒と、波板形状をしたトタン板（２）に取り付けているパッドアイ（７）とを使用して、波板形状をしたトタン板（２）の裏面から垂木（３）に取り付けていることを特徴とした波板形状をしたトタン板（２）、又は平板で出来ているトタン板（８）、及びその加工方法。
【請求項１７】
波板形状をしたトタン板（２）、例えば、日新鋼板（株）が製造販売をしている商品名がＺＡＭ鋼板を使用した波板形状をしたトタン板の表面上に、球形Si太陽電池面（１６）、強化ガラス（１８）と反射鏡（１７）からなる集光形太陽電池（１）を設置して、太陽電池の温度過熱を抑制するために、太陽電池下部（１９）を波板形状トタン板（２）の山部に密着して、トタン板（２）からも放熱することを特徴とした太陽電池（１）を形成した波板形状をしたトタン板（２）、及びその加工方法。
【請求項１８】
波板形状をしたトタン板（２）の上面を反射鏡（１７）として、円筒形太陽電池面（１６）と導電薄膜付の強化ガラス（１８）と反射鏡（１７）からなる集光形太陽電池（１）を一体的に形成して、太陽電池面（１６）の温度過熱を抑制するために、トタン板（２）から放熱することを特徴とした円筒形太陽電池（１）を形成した波板形状をしたトタン板（２）、及びその加工方法。
【発明の詳細な説明】
【技術分野】
【０００１】
本発明は、波板形状をしたトタン板（２）（以下、略して、トタン板、又は波板で出来ているトタン板とする）の表面上に、薄膜、平板、又は集光形の太陽電池（１）を形成する加工方法に関するものである。
【０００２】
また、本発明は、波板形状をしたトタン板、又は平板で出来ているトタン板（以下、略して、トタン板とする）を家屋の屋根を構成している垂木（３）、又は壁を構成している垂木（３）に波板形状をしたトタン板（２）、又は平板で出来ているトタン板（８）を裏面から取り付けることに関するものである。
【背景技術】
【０００３】
太陽電池（１）を設置するのには、例えば、家屋の屋根の表面上に太陽電池（１）を設置する構造物を形成して、この家屋の屋根の表面上に形成をした構造物に太陽電池（１）を取り付けているのが現状である。
【０００４】
また、波板形状をしたトタン板（２）の表面上に太陽電池（１）を形成したあと、波板形状をしたトタン板（２）を家屋の屋根を構成している垂木（３）に、釘（４）を使用して垂木（３）に太陽電池（１）を表面上に形成をしている、波板形状をしたトタン板（２）を垂木（３）に釘（４）を使用して打ち付けると、垂木（３）に釘（４）を使用して波板形状をしたトタン板（２）を打ち付けている部分から雨水が進入をして、波板形状をしたトタン板（２）の表面上に形成をしている太陽電池（１）が剥離をする欠点があるのが、従来の波板形状をしたトタン板（２）の表面上に太陽電池（１）を形成した太陽電池である。
【０００５】
さらに、波板形状をしたトタン板（２）を家屋の屋根を構成している垂木（３）に取り付ける場合、釘（４）を使用して波板形状をしたトタン板（２）の表面上から釘（４）を使用して、波板形状をしたトタン板（２）を家屋を構成している屋根の垂木（３）に釘（４）を使用して波板形状をしたトタン板（２）の表面上から釘（４）を使用して、垂木（３）に釘（４）を使用して波板形状をしたトタン板（２）を垂木（３）に打ち付けている。
【発明の概要】
【発明が解決しようとする課題】
【０００６】
波板形状をしたトタン板（２）の裏面に家屋の屋根を構成している垂木（３）を釘（４）、又はボルト（５）、又はナット（６）、又はフック（７）、又はパッドアイ（７）、又はロングアイ（７）、又はオープンパッドアイ（７）、又はアイストラップ（７）、又はＵＫターンバックル（７）、（以下、略して、ナット、又はフック、又はアイとする）、
又はその他の手段を使用して、波板形状をしたトタン板（２）の裏面に垂木（３）を取り付けて固定をしたあとの、波板形状をしたトタン板（２）の表面上に太陽電池（１）を形成した、波板形状をしたトタン板（２）を家屋の屋根材として、直接に家屋の屋根として使用をすることにより、波板形状をしたトタン板（２）の表面上に形成をしている、太陽電池（１）が波板形状をしたトタン板（２）の表面上から雨水が進入をして、波板形状をしたトタン板（２）の表面上から太陽電池（１）が剥離をすることを防止することを目的とする。
【０００７】
また、波板形状をしたトタン板（２）を家屋を構成している屋根材とする場合、波板形状をしたトタン板（２）を家屋を構成している垂木（３）に、波板形状をしたトタン板（２）の表面上から釘（４）を使用して家屋を構成している垂木（３）に打ち付けると、波板形状をしたトタン板（２）を垂木（３）に釘（４）を使用して、垂木（３）に打ち付けた釘（４）を形成した穴の部分から雨水が進入をして波板形状をしたトタン板（２）が錆びることを防止することを目的とする。
【課題を解決するための手段】
【０００８】
波板形状をしたトタン板（２）の裏面に家屋を構成している垂木（３）を取り付けて固定をしたあとの、波板形状をしたトタン板（２）の表面上に太陽電池（１）を形成した、波板形状をしたトタン板（２）を家屋の屋根材として使用することを解決手段とする。
【０００９】
また、波板形状をしたトタン板（２）を裏面から家屋の屋根材を構成している垂木（３）を取り付けることにより、波板形状をしたトタン板（２）の表面上を一切損傷をすることなく、波板形状をしたトタン板（２）を家屋の屋根材を構成している垂木（３）に取り付けて固定をすることを解決手段とする。
【発明の効果】
【００１０】
波板形状をしたトタン板（２）の裏面に家屋の屋根を構成している垂木（３）を釘（４）、又はボルト（５）、又はナット（６）、又はフック（７）、又はパッドアイ（７）、又はロングアイ（７）、又はオープンパッドアイ（７）、又はアイストラップ（７）、又はＵＫターンバックル（７）、又はナット付Ｌ棒（以下、略して、ナット、又はフック、又はアイとする）、又はその他の手段を使用して、波板形状をしたトタン板（２）の裏
面に垂木（３）を取り付けて固定をしたあとの、波板形状をしたトタン板（２）の表面上に太陽電池（１）を形成した、波板形状をしたトタン板（２）を家屋の屋根材として、直接に家屋の屋根として使用をすることにより、波板形状をしたトタン板（２）の表面上に形成をしている、太陽電池（１）が波板形状をしたトタン板（２）の表面上から雨水が進入をして、波板形状をしたトタン板（２）の表面上から太陽電池（１）が剥離をすることを防止することが出来る効果がある。
【００１１】
また、所在地が京都市南区上鳥羽大物町３５の、（株）クリーンベンチャー２１が製造販売をしている、商品名が球状シリコン太陽電池モジュールを、上記にて説明をした、波板形状をしたトタン板（２）、又は平板形状をしたトタン板（８）の表面上に形成をすることにより、より一段と発電効率がよい、太陽電池（１）を波板形状をしたトタン板（２）、又は平板形状をしたトタン板（８）の表面上に形成をすることが出来る効果がある。
【００１２】
さらに、上記にて説明をした、波板形状をしたトタン板（２）、又は平板で出来ているトタン板（８）（以下、略して、トタン板、又は鉄板とする）を構成している鉄板の表面上にアルミニウム（Ａｌ）５５％＋亜鉛（Ｚｎ）４３．４％＋珪素（Ｓｉ）１．６％の合金の母材が溶融をしているメッキ槽の内部に鉄板であるトタン板を浸してメッキをした、名称がガルバリウムメッキ加工（以下、略して、ガルバ鋼板、又は日新鋼板（株）が製造販売をしている商品名がガルバスター、又はＺＧとする）を行った波板形状をしたトタン板（２）、又は平板で出来ているトタン板（８）の表面上に太陽電池（１）を形成した、トタン板の表面上に太陽電池（１）を形成した表面上から家屋の屋根を構成している垂木（３）に釘（４）を使用して、直接に太陽電池（１）を形成している波板形状をしたトタン板（２）、又は平板で出来ているトタン板（８）を釘（４）を使用して垂木（３）にトタン板の上から打ち付けても、ガルバ鋼板で出来ているトタン板は防食性が高くて腐蝕に強いので、ガルバ鋼板で出来ているトタン板の表面上に形成をした太陽電池（１）と、波板形状をしたトタン板（２）、又は平板で出来ているトタン板（８）との剥離の進行を、最も低下させることが出来るので、ガルバ鋼板で出来ている波板形状をしたトタン板（２）の表面上に太陽電池（１）を形成する。又は平板で出来ているトタン板（８）の表面上に太陽電池（１）を形成しているトタン板であれば、釘（４）を使用してトタン板の表面上から家屋の屋根を構成している垂木（３）に、直接にトタン板の表面上の面から釘（４）を使用して垂木（３）にトタン板を打ち付けることが出来る効果がある。
【００１３】
また、鶏舎、豚舎、牛舎、及び堆肥舎の用途に適した波板形状をしたトタン板（２）、又は平板で出来ているトタン板（８）、（以下、略して、トタン板とする）の表面上にメッキ加工するのには、例えば、日新鋼板（株）が製造販売をしている耐アンモニア性、及
耐湿潤性に優れている、亜鉛（Ｚｎ）９１％＋アルミニウム（Ａｌ）６％＋マグネシウム（Ｍｇ）１％で出来ている金属が溶融をしているメッキ槽の内部にてドブヅケメッキ加工をした、商品名がＺＡＭ  鋼板を使用した波板形状をしたトタン板の表面上に太陽電池（１）を形成する。または、平板で出来ているトタン板（８）の表面上に太陽電池（１）を形成すると耐アンモニア性、及び耐湿潤性に優れた効果がある。
【００１４】
さらに、波板形状をしたトタン板（２）をボルト（５）、又はナット（６）、又はフック（７）、又はパッドアイ（７）、又はロングアイ（７）、又はオープンパッドアイ（７）、又はアイストラップ（７）、又はＵＫターンバックル（７）、又はナット付Ｌ棒、（以下、略して、ナット、又はフック、又はアイとする）、又はその他の手段を使用して、家屋の屋根を構成している垂木（３）に波板形状をしたトタン板（２）の裏面から垂木（３）に取り付けることにより、波板形状をしたトタン板（２）の表面上に釘（４）を打ち付けることで発生をする傷口を一切損傷させることなく、家屋を構成している屋根材の垂木（３）に波板形状をしたトタン板（２）を、裏面から垂木（３）に取り付けて固定をするので、波板形状をしたトタン板（２）の表面上には一切傷口を発生させることなく波板形状をしたトタン板（２）を屋根材として使用することが出来るので、例えば、上記にて説明をした、商品名がガルバスター（ＺＧ）鋼板、又はＺＡＭ鋼板を使用して波板形状をしたトタン板（２）を形成すると耐用年数が、ガルバスター（ＺＧ）鋼板、又はＺＡＭ鋼板を製造販売している日新鋼板（株）が保証をしている、保証期間の１０年間の保証期間の３倍から５倍の３０年から５０年間、一切腐蝕をしない波板形状をしたトタン板（２）、及び平板で出来ているトタン板（８）を形成することが出来る効果がある。
【図面の簡単な説明】
【００１５】
【図１】図１に示しているのは、波板形状をしたトタン板（２）に垂木（３）を釘（４）を使用して、波板形状をしたトタン板の裏面に釘（４）を使用して垂木（３）を取り付けたあと、家屋を構成している屋根材の垂木（３）に再度取り付けることを目的とした、波板形状をしたトタン板（２）に垂木（３）を取り付けている縦断面図を、図１に示している。
【図２】図２に示しているのは、波板形状をしたトタン板（２）に垂木（３）をボルト（５）、及びナット（６）を使用して、波板形状をしたトタン板の裏面にボルト（５）、及びナット（６）を使用して垂木（３）を取り付けたあと、家屋を構成している屋根材の垂木（３）に再度取り付けることを目的とした、波板形状をしたトタン板（２）に垂木（３）を取り付けている縦断面図を、図２に示している。
【図３】図３に示しているのは、波板形状をしたトタン板（２）に垂木（３）を釘（４）を使用して、波板形状をしたトタン板の裏面に釘（４）を使用して垂木（３）を取り付けたあと、家屋を構成している屋根材の垂木（３）に再度取り付けることを目的とした、波板形状をしたトタン板（２）に垂木（３）を取り付けている縦断面図を、図３に示している。
【図４】図４に示しているのは、波板形状をしたトタン板（２）に垂木（３）をボルト（５）、及びナット（６）を使用して、波板形状をしたトタン板の裏面にボルト（５）、及びナット（６）を使用して垂木（３）を取り付けたあと、家屋を構成している屋根材の垂木（３）に再度取り付けることを目的とした、波板形状をしたトタン板（２）に垂木（３）を取り付けている縦断面図を、図４に示している。
【図５】図５に示しているのは、波板形状をしたトタン板（２）に垂木（３）をボルト（５）、及びナット（６）を使用して、波板形状をしたトタン板の裏面にボルト（５）、及びナット（６）を使用して垂木（３）を取り付けたあと、家屋を構成している屋根材の垂木（３）に再度取り付けることを目的とした、波板形状をしたトタン板（２）に垂木（３）を取り付けている縦断面図を、図５に示している。
【図６】図６に示しているのは、波板形状をしたトタン板（２）を家屋を構成している屋根材の垂木（３）にボルト（５）、及びナット（６）を使用して、波板形状をしたトタン板（２）を裏面から取り付けることを目的として、波板形状をしたトタン板（２）の裏面にボルト（５）を取り付けている縦断面図を、図６に示している。
【図７】図７に示しているのは、波板形状をしたトタン板（２）を家屋を構成している屋根材の垂木（３）にボルト（５）、及びナット（６）を使用して、波板形状をしたトタン板（２）を裏面から取り付けることを目的として、波板形状をしたトタン板（２）の裏面にナット（６）を取り付けている縦断面図を、図７に示している。
【図８】図８に示しているのは、波板形状をしたトタン板（２）を家屋を構成している屋根材の垂木（３）にフック（７）を使用して、波板形状をしたトタン板（２）を裏面から取り付けることを目的として、波板形状をしたトタン板（２）の裏面にフック（７）を取り付けている縦断面図を、図８に示している。
【図９】図９に示しているのは、平板で出来ているトタン板（８）を家屋を構成している屋根材の垂木（３）にボルト（５）、及びナット（６）を使用して、平板で出来ているトタン板（８）を裏面から取り付けることを目的として、平板で出来ているトタン板（８）の裏面にボルト（５）を取り付けている縦断面図を、図９に示している。
【図１０】図１０に示しているのは、平板で出来ているトタン板（８）を家屋を構成している屋根材の垂木（３）にボルト（５）、及びナット（６）を使用して、平板で出来ているトタン板（８）を裏面から取り付けることを目的として、平板で出来ているトタン板（８）の裏面にナット（６）を取り付けている縦断面図を、図１０に示している。
【図１１】図１１に示しているのは、平板で出来ているトタン板（８）を家屋を構成している屋根材の垂木（３）にフック（７）を使用して、平板で出来ているトタン板（８）を裏面から取り付けることを目的として、平板で出来ているトタン板（８）の裏面にフック（７）を取り付けている縦断面図を、図１１に示している。
【図１２】図１２に示しているのは、波板形状をしたトタン板（２）の表面上に太陽電池（１）を形成する目的のために、波板形状をしたトタン板（２）の裏面に垂木（３）を釘（４）を使用して、波板形状をしたトタン板（２）の裏面に垂木（３）を釘（４）を使用して、波板形状をしたトタン板（２）の裏面に垂木（３）を固定をしたあとの、波板形状をしたトタン板（２）の表面上に片面が波板形状をしたトタン板（２）と全く同じ形状をした波板形状で、もう一方の片面が平板形状をした発泡スチロールで出来ている板（９）（以下、略して、発泡スチロール製板とする）と、波板形状をしたトタン板（２）との中間に接着層（１０）を形成して、波板形状をしたトタン板（２）の表面上に発泡スチロール製板（９）の表面上に接着層（１０）を介在させて、太陽電池（１）を接合して貼り合わせて太陽電池（１）を形成している縦断面図を、図１２に示している。
【図１３】図１３に示しているのは、波板形状をしたトタン板（２）の表面上に太陽電池（１）を形成する目的のために、波板形状をしたトタン板（２）の裏面に垂木（３）を固定する目的のために、ボルト（５）を溶接するか、又は金属接着剤を使用してボルト（５）を固定している、波板形状をしたトタン板（２）の裏面に垂木（３）をナット（６）を使用して、波板形状をしたトタン板（２）の裏面に垂木（３）を固定をしたあとの、波板形状をしたトタン板（２）の表面上に片面が波板形状をしたトタン板（２）と全く同じ形状をした波板形状で、もう一方の片面が平板形状をした発泡スチロールで出来ている板（９）（以下、略して、発泡スチロール製板とする）と、波板形状をしたトタン板（２）との中間に接着層（１０）を形成して、波板形状をしたトタン板（２）の表面上に発泡スチロール製板（９）の表面上に接着層（１０）を介在させて、太陽電池（１）を接合して貼り合わせて太陽電池（１）を形成している縦断面図を、図１３に示している。
【図１４】図１４に示しているのは、波板形状をしたトタン板（２）の表面上に太陽電池（１）を形成する目的のために、波板形状をしたトタン板（２）に凹凸を形成している凸形状の裏面に、凸形状の方向にそって平行方向に垂木（３）を釘（４）を使用して、波板形状をしたトタン板（２）の裏面に垂木（３）を釘付けをして垂木（３）を固定をしたあとの、波板形状をしたトタン板（２）の表面上に片面が波板形状をしたトタン板（２）と全く同じ形状をした波板形状で、もう一方の片面が平板形状をした発泡スチロールで出来ている板（９）（以下、略して、発泡スチロール製板とする）と、波板形状をしたトタン板（２）との中間に接着層（１０）を形成して、波板形状をしたトタン板（２）の表面上に発泡スチロール製板（９）の表面上に接着層（１０）を介在させて、太陽電池（１）を接合して貼り合わせて太陽電池（１）を形成している縦断面図を、図１４に示している。
【図１５】図１５に示しているのは、波板形状をしたトタン板（２）の表面上に太陽電池（１）を形成する目的のために、波板形状をしたトタン板（２）の裏面に垂木（３）を固定する目的のために、ボルト（５）を溶接するか、又は金属接着剤を使用してボルト（５）を波板形状をしたトタン板（２）の裏面に、波板の凹凸を形成している凹形状の裏面に、凹形状の方向にそって平行方向に垂木（３）をボルト（５）、及びナット（６）を使用して、波板形状をしたトタン板（２）の裏面に垂木（３）を取り付けて固定をしたあとの、波板形状をしたトタン板（２）の表面上に片面が波板形状をしたトタン板（２）と全く同じ形状をした波板形状で、もう一方の片面が平板形状をした発泡スチロールで出来ている板（９）（以下、略して、発泡スチロール製板とする）と、波板形状をしたトタン板（２）との中間に接着層（１０）を形成して、波板形状をしたトタン板（２）の表面上に発泡スチロール製板（９）の表面上に接着層（１０）を介在させて、太陽電池（１）を接合して貼り合わせて太陽電池（１）を形成している縦断面図を、図１５に示している。
【図１６】図１６に示しているのは、波板形状をしたトタン板（２）の表面上に太陽電池（１）を形成する目的のために、波板形状をしたトタン板（２）の裏面に垂木（３）を固定する目的のために、波板形状をしたトタン板（２）の裏面にナット（６）を溶接するか、又は金属接着剤を使用してナット（６）を固定している、波板形状をしたトタン板（２）の裏面に、垂木（３）をボルト（５）を使用して、波板形状をしたトタン板（２）の裏面に垂木（３）を固定をしたあとの、波板形状をしたトタン板（２）の表面上に片面が波板形状をしたトタン板（２）と全く同じ形状をした波板形状で、もう一方の片面が平板形状をした発泡スチロールで出来ている板（９）（以下、略して、発泡スチロール製板とする）と、波板形状をしたトタン板（２）との中間に接着層（１０）を形成して、波板形状をしたトタン板（２）の表面上に発泡スチロール製板（９）の表面上に接着層（１０）を介在させて、太陽電池（１）を接合して貼り合わせて太陽電池（１）を形成している縦断面図を、図１６に示している。
【図１７】図１７に示しているのは、波板形状をしたトタン板（２）の表面上に太陽電池（１）を形成する目的のために、波板形状をしたトタン板（２）の裏面に垂木（３）を固定する目的のために、ボルト（５）を溶接するか、又は金属接着剤を使用してボルト（５）を波板形状をしたトタン板（２）の裏面に固定をしたあとの、波板形状をしたトタン板（２）の表面上に片面が波板形状をしたトタン板（２）と全く同じ形状をした波板形状で、もう一方の片面が平板形状をした発泡スチロールで出来ている板（９）（以下、略して、発泡スチロール製板とする）と、波板形状をしたトタン板（２）との中間に接着層（１０）を形成して、波板形状をしたトタン板（２）の表面上に発泡スチロール製板（９）の表面上に接着層（１０）を介在させて、太陽電池（１）を接合して貼り合わせて太陽電池（１）を形成している縦断面図を、図１７に示している。
【図１８】図１８に示しているのは、波板形状をしたトタン板（２）の表面上に太陽電池（１）を形成する目的のために、波板形状をしたトタン板（２）の裏面に垂木（３）を固定する目的のために、波板形状をしたトタン板（２）の裏面にナット（６）を溶接するか、又は金属接着剤を使用してナット（６）を波板形状をしたトタン板（２）の裏面に固定をしたあとの、波板形状をしたトタン板（２）の表面上に太陽電池（１）を形成している縦断面図を、図１８に示している。
【図１９】図１９に示しているのは、波板形状をしたトタン板（２）の表面上に太陽電池（１）を形成する目的のために、波板形状をしたトタン板（２）の裏面に垂木（３）を固定する目的のために、波板形状をしたトタン板（２）の裏面にフック（７）を溶接するか、又は金属接着剤を使用してフック（７）を波板形状をしたトタン板（２）の裏面に固定をしたあとの、波板形状をしたトタン板（２）の表面上に片面が波板形状をしたトタン板（２）と全く同じ形状をした波板形状で、もう一方の片面が平板形状をした発泡スチロールで出来ている板（９）（以下、略して、発泡スチロール製板とする）と、波板形状をしたトタン板（２）との中間に接着層（１０）を形成して、波板形状をしたトタン板（２）の表面上に発泡スチロール製板（９）の表面上に接着層（１０）を介在させて、太陽電池（１）を接合して貼り合わせて太陽電池（１）を形成している縦断面図を、図１９に示している。
【図２０】図２０に示しているのは、平板で出来ているトタン板（８）の表面上に太陽電池（１）を形成する目的のために、平板で出来ているトタン板（８）の裏面に垂木（３）などを取り付ける目的のために、ボルト（５）を溶接するか、又は金属接着剤を使用してボルト（５）を固定したあとの、平板で出来ているトタン板（８）の表面上に片面が波板形状をしたトタン板（２）と全く同じ形状をした波板形状で、もう一方の片面が平板形状をした発泡スチロールで出来ている板（９）（以下、略して、発泡スチロール製板とする）と、波板形状をしたトタン板（２）との中間に接着層（１０）を形成して、波板形状をしたトタン板（２）の表面上に発泡スチロール製板（９）の表面上に接着層（１０）を介在させて、太陽電池（１）を接合して貼り合わせて太陽電池（１）を形成している縦断面図を、図２０に示している。
【図２１】図２１に示しているのは、平板で出来ているトタン板（８）の表面上に太陽電池（１）を形成する目的のために、平板で出来ているトタン板（８）の裏面に垂木（３）などを取り付ける目的のために、ナット（６）を溶接するか、又は金属接着剤を使用してナット（６）を固定したあとの、平板で出来ているトタン板（８）の表面上に片面が波板形状をしたトタン板（２）と全く同じ形状をした波板形状で、もう一方の片面が平板形状をした発泡スチロールで出来ている板（９）（以下、略して、発泡スチロール製板とする）と、波板形状をしたトタン板（２）との中間に接着層（１０）を形成して、波板形状をしたトタン板（２）の表面上に発泡スチロール製板（９）の表面上に接着層（１０）を介在させて、太陽電池（１）を接合して貼り合わせて太陽電池（１）を形成している縦断面図を、図２１に示している。
【図２２】図２２に示しているのは、平板で出来ているトタン板（８）の表面上に太陽電池（１）を形成する目的のために、平板で出来ているトタン板（８）の裏面に垂木（３）などを取り付ける目的のために、フック（７）を溶接するか、又は金属接着剤を使用してフック（７）を固定したあとの、平板で出来ているトタン板（８）の表面上に片面が波板形状をしたトタン板（２）と全く同じ形状をした波板形状で、もう一方の片面が平板形状をした発泡スチロールで出来ている板（９）（以下、略して、発泡スチロール製板とする）と、波板形状をしたトタン板（２）との中間に接着層（１０）を形成して、波板形状をしたトタン板（２）の表面上に発泡スチロール製板（９）の表面上に接着層（１０）を介在させて、太陽電池（１）を接合して貼り合わせて太陽電池（１）を形成している縦断面図を、図２２に示している。
【図２３】図２３に示しているのは、波板形状をしたトタン板（２）の表面上に太陽電池（１）を直接に取り付ける目的のために、波板形状をしたトタン板（２）、及び太陽電池（１）を形成しているモジュールに貫通穴を形成して、波板形状をしたトタン板（２）の表面上に太陽電池（１）を雨水の進入、及び漏水を防止するためのパッキング（１２）を介在させて、波板形状をしたトタン板（２）と太陽電池（１）とをボルト（５）、及びナット（６）を使用して接合をして、さらに、家屋を構成している屋根材である垂木（３）にボルト（５）、及びナット（６）を使用して、波板形状をしたトタン板（２）と太陽電池（１）とを接合して合体をさせた波板形状をしたトタン板（２）、及び太陽電池（１）とを家屋を構成している垂木（３）に家屋を構成している屋根の裏面からボルト（５）、及びナット（６）を使用して取り付けている縦断面図を、図２３に示している。
【図２４】図２４に示しているのは、波板形状をしたトタン板（２）の表面上に太陽電池（１）を取り付ける目的のために、波板形状をしたトタン板（２）と太陽電池（１）との中間に、発泡スチロール製板（９）で出来ている片面が波板形状で、もう一方の片面が平板形状で出来ている発泡スチロール製板（９）を、波板形状をしたトタン板（２）と太陽電池（１）との中間に介在をさせたモジュールに貫通穴を形成して、波板形状をしたトタン板（２）の表面上に太陽電池（１）を雨水の進入、及び漏水を防止するためのパッキング（１２）を介在させて、波板形状をしたトタン板（２）と太陽電池（１）とをボルト（５）、及びナット（６）を使用して接合をして、さらに、家屋を構成している屋根材である垂木（３）にボルト（５）、及びナット（６）を使用して、波板形状をしたトタン板（２）と太陽電池（１）とを接合して合体をさせた波板形状をしたトタン板（２）、及び太陽電池（１）とを家屋を構成している垂木（３）に家屋を構成している屋根の裏面からボルト（５）、及びナット（６）を使用して取り付けている縦断面図を、図２４に示している。
【図２５】図２５に示しているのは、波板形状をしたトタン板（２）の表面上に太陽電池（１）を取り付ける目的のために、波板形状をしたトタン板（２）と太陽電池（１）との中間に、発泡スチロール製板（１１）で出来ている両側面が平板形状で出来ている発泡スチロール製板（１１）を、波板形状をしたトタン板（２）と太陽電池（１）との中間に介在をさせたモジュールに貫通穴を形成して、波板形状をしたトタン板（２）の表面上に太陽電池（１）を雨水の進入、及び漏水を防止するためのパッキング（１２）を介在させて、波板形状をしたトタン板（２）と太陽電池（１）とをボルト（５）、及びナット（６）を使用して接合をして、さらに、家屋を構成している屋根材である垂木（３）にボルト（５）、及びナット（６）を使用して、波板形状をしたトタン板（２）と太陽電池（１）とを接合して合体をさせた波板形状をしたトタン板（２）、及び太陽電池（１）とを家屋を構成している垂木（３）に家屋を構成している屋根の裏面からボルト（５）、及びナット（６）を使用して取り付けている縦断面図を、図２５に示している。
【図２６】図２６に示しているのは、波板形状をしたトタン板（２）の表面上に太陽電池（１）を取り付ける目的のために、波板形状をしたトタン板（２）と太陽電池（１）との中間に、発泡スチロール製板（１１）で出来ている両側面が平板形状で出来ている発泡スチロール製板（１１）を、波板形状をしたトタン板（２）と太陽電池（１）との中間に介在をさせたモジュールを波板形状をしたトタン板（２）の表面上に溶接、又は金属接着剤を使用して接合をしているボルト（５）、及びナット（６）を使用して、発泡スチロール製板（１１）で出来ている両側面が平板形状で出来ている発泡スチロール製板（１１）を中間に介在をさせて、この発泡スチロール製板（１１）の表面上に太陽電池（１）を接着層（１０）を形成して接合をさせたあと、波板形状をしたトタン板（２）と太陽電池（１）とを接合して合体をさせた波板形状をしたトタン板（２）、及び太陽電池（１）とを家屋を構成している垂木（３）に家屋を構成している屋根の裏面からフック（７）を使用して取り付けている縦断面図を、図２６に示している。
【図２７】図２７に示しているのは、波板形状をしたトタン板（２）の表面上に太陽電池（１）を取り付ける目的のために、波板形状をしたトタン板（２）と太陽電池（１）との中間に、発泡スチロール製板（１１）で出来ている両側面が平板形状で出来ている発泡スチロール製板（１１）を、波板形状をしたトタン板（２）と太陽電池（１）との中間に介在をさせたモジュールを波板形状をしたトタン板（２）の表面上に溶接部分（１３）、又は金属接着剤部分（１３）を使用して接合をしているボルト（５）、及びナット（６）を使用して、発泡スチロール製板（１１）で出来ている両側面が平板形状で出来ている発泡スチロール製板（１１）を中間に介在をさせて、この発泡スチロール製板（１１）の表面上に太陽電池（１）を接着層（１０）を形成して接合をさせたあと、さらに、ボルト（５）、及びナット（６）を使用して波板形状をしたトタン板（２）に太陽電池（１）を取り付けたあと、波板形状をしたトタン板（２）の裏面にパッドアイ（７）を溶接部分（１３）、又は金属接着剤部分（１３）を形成して、波板形状をしたトタン板（２）の裏面にパッドアイ（７）を取り付けている縦断面図を、図２７に示している。
【図２８】図２８に示しているのは、波板形状をしたトタン板（２）の表面上に太陽電池（１）を取り付ける目的のために、波板形状をしたトタン板（２）と太陽電池（１）との中間に、発泡スチロール製板（１１）で出来ている両側面が平板形状で出来ている発泡スチロール製板（１１）を、波板形状をしたトタン板（２）と太陽電池（１）との中間に介在をさせたモジュールを波板形状をしたトタン板（２）の表面上に溶接部分（１３）、又は金属接着剤部分（１３）を使用して接合をしているボルト（５）、及びナット（６）を使用して、発泡スチロール製板（１１）で出来ている両側面が平板形状で出来ている発泡スチロール製板（１１）を中間に介在をさせて、この発泡スチロール製板（１１）の表面上に太陽電池（１）を接着層（１０）を形成して接合をさせたあと、さらに、ボルト（５）、及びナット（６）を使用して波板形状をしたトタン板（２）に太陽電池（１）を取り付けたあと、波板形状をしたトタン板（２）の裏面にパッドアイ（７）を溶接部分（１３）、又は金属接着剤部分（１３）を形成して、波板形状をしたトタン板（２）の裏面にパッドアイ（７）を取り付けたあと、このパッドアイ（７）に先端部分がｎ字形状をしたナット（６）付きＬ棒（１４）を使用して、家屋を構成している垂木（３）に波板形状をしたトタン板（２）と、発泡スチロール製板（１１）とを介在させて接合させた太陽電池（１）を形成したモジュールを、家屋を構成している垂木（３）に波板形状をしたトタン板（２）の裏面から家屋を構成している垂木（３）に、先端部分がｎ字形状をしたナット（６）付きＬ棒（１４）を使用して取り付けている縦断面図を、図２８に示している。
【図２９】図２９に示しているのは、波板形状をしたトタン板（２）の裏面にフック（７）、又はパッドアイ（７）、又はロングアイ（７）、又はオープンパッドアイ（７）、又はアイストラップ（７）、又はＵＫターンバックル（７）、又はナット付Ｌ棒、（以下、略して、パッドアイとする）に、パッドアイ（７）を溶接部分（１３）、又は金属接着剤部分（１３）を形成して、波板形状をしたトタン板（２）の裏面にパッドアイ（７）を取り付けている縦断面図を、図２９に示している。
【図３０】図３０に示しているのは、波板形状をしたトタン板（２）の裏面にフック（７）、又はパッドアイ（７）、又はロングアイ（７）、又はオープンパッドアイ（７）、又はアイストラップ（７）、又はＵＫターンバックル（７）、又はナット付Ｌ棒、（以下、略して、パッドアイとする）に、パッドアイ（７）を溶接部分（１３）、又は金属接着剤部分（１３）を形成して、波板形状をしたトタン板（２）の裏面に取り付けているパッドアイ（７）に、先端部分がｎ字形状をしたナット（６）付きＬ棒（１４）を使用して、波板形状をしたトタン板（２）を家屋を構成している屋根材の垂木（３）に、波板形状をしたトタン板（２）の裏面から垂木（３）に、波板形状をしたトタン板（２）を先端部分がｎ字形状をしたナット付きＬ棒と、波板形状をしたトタン板（２）に取り付けているパッドアイ（７）とを使用して、波板形状をしたトタン板（２）の裏面から垂木（３）に取り付けている縦断面図を、図３０に示している。
【図３１】図３１に示しているのは、波板形状をしたトタン板（２）の裏面にフック（７）、又はパッドアイ（７）、又はロングアイ（７）、又はオープンパッドアイ（７）、又はアイストラップ（７）、又はＵＫターンバックル（７）、又はナット付Ｌ棒、（以下、略して、パッドアイとする）を、鋲（１５）を使用してパッドアイ（７）を、波板形状をしたトタン板（２）に取り付けている縦断面図を、図３１に示している。
【図３２】図３２に示しているのは、波板形状をしたトタン板（２）の裏面にフック（７）、又はパッドアイ（７）、又はロングアイ（７）、又はオープンパッドアイ（７）、又はアイストラップ（７）、又はＵＫターンバックル（７）、又はナット付Ｌ棒、（以下、略して、パッドアイとする）を、鋲（１５）を使用してパッドアイ（７）を、波板形状をしたトタン板（２）に取り付けたあと、波板形状をしたトタン板（２）の裏面に取り付けているパッドアイ（７）に、先端部分がｎ字形状をしたナット付きＬ棒を使用して、波板形状をしたトタン板（２）を家屋を構成している屋根材の垂木（３）に、波板形状をしたトタン板（２）の裏面から垂木（３）に、波板形状をしたトタン板（２）を先端部分がｎ字形状をしたナット付きＬ棒と、波板形状をしたトタン板（２）に取り付けているパッドアイ（７）とを使用して、波板形状をしたトタン板（２）の裏面から垂木（３）に取り付けている縦断面図を、図３２に示している。
【図３３】図３３に示しているのは、波板形状をしたトタン板（２）の表面上に太陽電池（１）を取り付ける目的のために、波板形状をしたトタン板（２）と太陽電池（１）との中間に、発泡スチロール製板（１１）で出来ている両側面が平板形状で出来ている発泡スチロール製板（１１）を、波板形状をしたトタン板（２）と太陽電池（１）との中間に介在をさせたモジュールを波板形状をしたトタン板（２）の表面上に溶接部分（１３）、又は金属接着剤部分（１３）を使用して接合をしているボルト（５）、及びナット（６）を使用して、発泡スチロール製板（１１）で出来ている両側面が平板形状で出来ている発泡スチロール製板（１１）を中間に介在をさせて、この発泡スチロール製板（１１）の表面上に太陽電池（１）を接着層（１０）を形成して接合をさせたあと、さらに、ボルト（５）、及びナット（６）を使用して波板形状をしたトタン板（２）に太陽電池（１）を取り付けたあと、波板形状をしたトタン板（２）の裏面にフック（７）、又はパッドアイ（７）、又はロングアイ（７）、又はオープンパッドアイ（７）、又はアイストラップ（７）、又はＵＫターンバックル（７）、又はナット付Ｌ棒、（以下、略して、パッドアイとする）を、鋲（１５）を使用してパッドアイ（７）を、波板形状をしたトタン板（２）に取り付けたあと、波板形状をしたトタン板（２）の裏面に取り付けているパッドアイ（７）に、先端部分がｎ字形状をしたナット付きＬ棒を使用して、波板形状をしたトタン板（２）を家屋を構成している屋根材の垂木（３）に、波板形状をしたトタン板（２）の裏面から垂木（３）に、波板形状をしたトタン板（２）を先端部分がｎ字形状をしたナット付きＬ棒と、波板形状をしたトタン板（２）に取り付けているパッドアイ（７）とを使用して、波板形状をしたトタン板（２）の裏面から垂木（３）に取り付けている縦断面図を、図３３に示している。
【図３４】図３４に示しているのは、波板形状をしたトタン板（２）、例えば、日新鋼板（株）が製造販売をしている商品名がＺＡＭ鋼板を使用した波板形状をしたトタン板の表面上に、約1mm球形太陽電池面（１６）、強化ガラス（１８）と反射鏡（１７）からなる集光形太陽電池（１）を設置して、太陽電池の温度過熱を抑制するために、太陽電池下部（１９）を波板形状トタン板（２）の山部に密着して、トタン板（２）からも放熱することを特徴とした集光形太陽電池（１）、及びトタン板（２）の縦断面図である。
【図３５】図３５に示しているのは、波板形状をしたトタン板（２）、例えば、日新鋼板（株）が製造販売をしている商品名がＺＡＭ鋼板を使用した波板形状をしたトタン板を反射鏡（１７）として、約1cm円筒形太陽電池面（１６）ｐｎ接合と強化ガラス（１８）と反射鏡（１７）負電極からなる集光形太陽電池（１）を一体的に形成して、太陽電池の温度過熱を抑制するために、トタン板（２）から放熱することを特徴として、太陽電池下部（１９）を負電極とした太陽電池（１）と波板形状をしたトタン板を一体化した縦断面図である。
【発明を実施するための形態】
【００１６】
波板形状をしたトタン板（２）の表面上に太陽電池（１）を形成した、太陽電池（１）の表面上を一切損傷させることなく、家屋の屋根材として太陽電池（１）を形成している波板形状をしたトタン板（２）の裏面の垂木（３）に、釘（４）、又はボルト（５）、又はナット（６）、又はフック（７）、又はパッドアイ（７）、又はロングアイ（７）、又はオープンパッドアイ（７）、又はアイストラップ（７）、又はＵＫターンバックル（７）、又はナット付Ｌ棒、（以下、略して、ナット、又はフック、又はアイとする）、又はその他の手段を使用して、家屋の屋根を構成している垂木（３）に波板形状をしたトタン板（２）の裏面から垂木（３）に取り付けることにより、波板形状をしたトタン板（２）の表面上に形成をした太陽電池（１）を一切損傷させることなく、太陽電池（１）を家屋の屋根材として取り付けることが出来るので、太陽電池（１）を一切損傷させることなく家屋の屋根材として使用をすることが出来る。
【００１７】
波板形状をしたトタン板（２）をボルト（５）、又はナット（６）、又はフック（７）、又はパッドアイ（７）、又はロングアイ（７）、又はオープンパッドアイ（７）、又はアイストラップ（７）、又はＵＫターンバックル（７）、又はナット付Ｌ棒、（以下、略して、ナット、又はフック、又はアイとする）、又はその他の手段を使用して、家屋の屋根を構成している垂木（３）に波板形状をしたトタン板（２）の裏面から垂木（３）に取り付けることにより、波板形状をしたトタン板（２）の表面上に釘（４）を打ち付けることで発生をする傷口を一切損傷させることなく、家屋を構成している屋根材の垂木（３）に波板形状をしたトタン板（２）を、裏面から垂木（３）に取り付けて固定をするので、波板形状をしたトタン板（２）の表面上には一切傷口を発生させることなく波板形状をしたトタン板（２）を屋根材として使用することが出来る。
【実施例１】
【００１８】
波板形状をしたトタン板（２）の表面上に太陽電池（１）を形成する目的のために、波板形状をしたトタン板（２）の裏面に垂木（３）を釘（４）を使用して、波板形状をしたトタン板（２）の裏面に垂木（３）を釘（４）を使用して、波板形状をしたトタン板（２）の裏面に垂木（３）を固定したあとの、波板形状をしたトタン板（２）の表面上に太陽電池（１）を形成したトタン板（２）を実施例１とする。
【実施例２】
【００１９】
波板形状をしたトタン板（２）の表面上に太陽電池（１）を形成する目的のために、波板形状をしたトタン板（２）の裏面に垂木（３）を固定する目的のために、ボルト（５）を溶接するか、又は金属接着剤を使用してボルト（５）を固定している、波板形状をしたトタン板（２）の裏面に垂木（３）をナット（６）を使用して、波板形状をしたトタン板（２）の裏面に垂木（３）を固定したあとの、波板形状をしたトタン板（２）の表面上に太陽電池（１）を形成したトタン板（２）を実施例２とする。
【実施例３】
【００２０】
波板形状をしたトタン板（２）の表面上に太陽電池（１）を形成する目的のために、波板形状をしたトタン板（２）に凹凸を形成している凹形状、又は凸形状の裏面に、凹形状、又は凸形状の方向にそって平行方向に垂木（３）を釘（４）を使用して、波板形状をしたトタン板（２）の裏面に垂木（３）を釘付けをして垂木（３）を固定をしたあとの、波板形状をしたトタン板（２）の表面上に太陽電池（１）を形成したトタン板（２）を実施例３とする。
【実施例４】
【００２１】
波板形状をしたトタン板（２）の表面上に太陽電池（１）を形成する目的のために、波板形状をしたトタン板（２）の裏面に垂木（３）を固定する目的のために、ボルト（５）を溶接するか、又は金属接着剤を使用してボルト（５）を波板形状をしたトタン板（２）の裏面に、波板の凹凸を形成している凹形状、又は凸形状の裏面に、凹形状、又は凸型状の方向にそって平行方向に垂木（３）をボルト（５）、及びナット（６）を使用して、波板形状をしたトタン板（２）の裏面に垂木（３）を取り付けて固定をしたあとの、波板形状をしたトタン板（２）の表面上に太陽電池（１）を形成したトタン板（２）を実施例４とする。
【実施例５】
【００２２】
波板形状をしたトタン板（２）の表面上に太陽電池（１）を形成する目的のために、波板形状をしたトタン板（２）の裏面に垂木（３）を固定する目的のために、波板形状をしたトタン板（２）の裏面にナット（６）を溶接するか、又は金属接着剤を使用してナット（６）を固定している、波板形状をしたトタン板（２）の裏面に、垂木（３）をボルト（５）を使用して、波板形状をしたトタン板（２）の裏面に垂木（３）を固定をしたあとの、波板形状をしたトタン板（２）の表面上に太陽電池（１）を形成したトタン板（２）を実施例５とする。
【実施例６】
【００２３】
波板形状をしたトタン板（２）の表面上に太陽電池（１）を形成する目的のために、波板形状をしたトタン板（２）の裏面に垂木（３）を固定する目的のために、ボルト（５）を溶接するか、又は金属接着剤を使用してボルト（５）を波板形状をしたトタン板（２）の裏面に固定をしたあとの、波板形状をしたトタン板（２）の表面上に太陽電池（１）を形成したトタン板（２）を実施例６とする。
【実施例７】
【００２４】
波板形状をしたトタン板（２）の表面上に太陽電池（１）を形成する目的のために、波板形状をしたトタン板（２）の裏面に垂木（３）を固定する目的のために、波板形状をしたトタン板（２）の裏面にナット（６）を溶接するか、又は金属接着剤を使用してナット（６）を波板形状をしたトタン板（２）の裏面に固定をしたあとの、波板形状をしたトタン板（２）の表面上に太陽電池（１）を形成したトタン板（２）を実施例７とする。
【実施例８】
【００２５】
波板形状をしたトタン板（２）の表面上に太陽電池（１）を形成する目的のために、波板形状をしたトタン板（２）の裏面に垂木（３）を固定する目的のために、波板形状をしたトタン板（２）の裏面にフック（７）を溶接するか、又は金属接着剤を使用してフック（７）を波板形状をしたトタン板（２）の裏面に固定をしたあとの、波板形状をしたトタン板（２）の表面上に太陽電池（１）を形成したトタン板（２）を実施例８とする。
【実施例９】
【００２６】
平板で出来ているトタン板（８）の表面上に太陽電池（１）を形成する目的のために、平板で出来ているトタン板（８）の裏面に垂木（３）などを取り付ける目的のために、ボルト（５）を溶接するか、又は金属接着剤を使用してボルト（５）を固定したあとの、平板で出来ているトタン板（８）の表面上に太陽電池（１）を形成したトタン板（８）を実施例９とする。
【実施例１０】
【００２７】
平板で出来ているトタン板（８）の表面上に太陽電池（１）を形成する目的のために、平板で出来ているトタン板（８）の裏面に垂木（３）などを取り付ける目的のために、ナット（６）を溶接するか、又は金属接着剤を使用してナット（６）を固定したあとの、平板で出来ているトタン板（８）の表面上に太陽電池（１）を形成したトタン板（８）を実施例１０とする。
【実施例１１】
【００２８】
平板で出来ているトタン板（８）の表面上に太陽電池（１）を形成する目的のために、平板で出来ているトタン板（８）の裏面に垂木（３）などを取り付ける目的のために、フック（７）を溶接するか、又は金属接着剤を使用してフック（７）を固定したあとの、平板で出来ているトタン板（８）の表面上に太陽電池（１）を形成したトタン板（８）を実施例１１とする。
【実施例１２】
【００２９】
波板形状をしたトタン板（２）、又は平板で出来ているトタン板（８）の裏面にフック（７）、又はパッドアイ（７）、又はロングアイ（７）、又はオープンパッドアイ（７）、又はアイストラップ（７）、又はＵＫターンバックル（７）、又はナット付Ｌ棒（以下、略して、ナット、又はフック、又はアイとする）を取り付けるか、又は垂木（３）を取り付けている波板形状をしたトタン板（２）、又は平板で出来ているトタン板（８）の表面上に、多方面から太陽光線を集光することが出来る、発電効率が一段と高い球状シリコン太陽電池モジュールを形成した波板形状をしたトタン板（２）、又は平板で出来ているトタン板（８）の表面上に太陽電池（１）を形成しているトタン板を家屋の屋根を構成している垂木（３）、又は壁を構成している垂木（３）に、家屋の屋根の裏面、又は家屋を構成している壁の裏面から、波板形状をしたトタン板（２）、又は平板で出来ているトタン板（８）の表面上に太陽電池（３）を形成している、太陽電池（１）を取り付けて固定をすることを実施例１２とする。
【実施例１３】
【００３０】
波板形状をしたトタン板（２）、又は平板で出来ているトタン板（８）（以下、略して、トタン板、又は鉄板とする）を構成している鉄板の表面上にアルミニウム（Ａｌ）５５％＋亜鉛（Ｚｎ）４３．４％＋珪素（Ｓｉ）１．６％の合金の母材が溶融をしているメッキ槽の内部に鉄板であるトタン板を浸してメッキをした、名称がガルバリウムメッキ加工（以下、略して、ガルバ鋼板、又は日新鋼板（株）が製造販売をしている商品名がガルバスター、又はＺＧとする）を行った波板形状をしたトタン板（２）、又は平板で出来ているトタン板（８）の表面上に太陽電池（１）を形成した、トタン板の表面上に太陽電池（１）を形成した表面上から家屋の屋根を構成している垂木（３）に釘（４）を使用して、直接に太陽電池（１）を形成している波板形状をしたトタン板（２）、又は平板で出来ているトタン板（８）を釘（４）を使用して垂木（３）にトタン板の上から打ち付けても、ガルバ鋼板で出来ているトタン板は防食性が高くて腐蝕に強いので、、ガルバ鋼板で出来ているトタン板の表面上に形成をした太陽電池（１）と、波板形状をしたトタン板（２）、又は平板で出来ているトタン板（８）との剥離の進行を、最も低下させることが出来るので、ガルバ鋼板で出来ている波板形状をしたトタン板（２）の表面上に太陽電池（１）を形成する。又は平板で出来ているトタン板（８）の表面上に太陽電池（１）を形成しているトタン板であれば、釘（４）を使用してトタン板の表面上から家屋の屋根を構成している垂木（３）に、直接にトタン板の表面上の面から釘（４）を使用して垂木（３）にトタン板を打ち付けることが出来ることを実施例１３とする。
【実施例１４】
【００３１】
鶏舎、豚舎、牛舎、及び堆肥舎の用途に適した波板形状をしたトタン板（２）、又は平板で出来ているトタン板（８）、（以下、略して、トタン板とする）の表面上にメッキ加工するのには、例えば、日新鋼板（株）が製造販売をしている耐アンモニア性、及び耐湿潤性に優れている、亜鉛（Ｚｎ）９１％＋アルミニウム（Ａｌ）６％＋マグネシウム（Ｍｇ）１％で出来ている金属が溶融をしているメッキ槽の内部にてドブヅケメッキ加工をした、商品名がＺＡＭ  鋼板を使用した波板形状をしたトタン板の表面上に太陽電池（１）を形成する。または、平板で出来ているトタン板（８）の表面上に太陽電池（１）を形成することを実施例１４とする。
【実施例１５】
【００３２】
波板形状をしたトタン板（２）の表面上に太陽電池（１）を形成した、太陽電池（１）の表面上を一切損傷させることなく、家屋の屋根材として太陽電池（１）を形成している波板形状をしたトタン板（２）の裏面の垂木（３）に、釘（４）、又はボルト（５）、又はナット（６）、又はフック（７）、又はパッドアイ（７）、又はロングアイ（７）、又はオープンパッドアイ（７）、又はアイストラップ（７）、又はＵＫターンバックル（７）、又はナット付Ｌ棒、（以下、略して、ナット、又はフック、又はアイとする）、又はその他の手段を使用して、家屋の屋根を構成している垂木（３）に波板形状をしたトタン板（２）の裏面から垂木（３）に取り付けることにより、波板形状をしたトタン板（２）の表面上に形成をした太陽電池（１）を一切損傷させることなく、太陽電池（１）を家屋の屋根材として取り付けることが出来るので、太陽電池（１）を一切損傷させることなく家屋の屋根材として使用をすることを実施例１５とする。
【実施例１６】
【００３３】
波板形状をしたトタン板（２）の表面上に太陽電池（１）を取り付ける目的のために、波板形状をしたトタン板（２）と太陽電池（１）との中間に、発泡スチロール製板（１１）で出来ている両側面が平板形状で出来ている発泡スチロール製板（１１）を、波板形状をしたトタン板（２）と太陽電池（１）との中間に介在をさせたモジュールを波板形状をしたトタン板（２）の表面上に溶接部分（１３）、又は金属接着剤部分（１３）を使用して接合をしているボルト（５）、及びナット（６）を使用して、発泡スチロール製板（１１）で出来ている両側面が平板形状で出来ている発泡スチロール製板（１１）を中間に介在をさせて、この発泡スチロール製板（１１）の表面上に太陽電池（１）を接着層（１０）を形成して接合をさせたあと、さらに、ボルト（５）、及びナット（６）を使用して波板形状をしたトタン板（２）に太陽電池（１）を取り付けたあと、波板形状をしたトタン板（２）の裏面にフック（７）、又はパッドアイ（７）、又はロングアイ（７）、又はオープンパッドアイ（７）、又はアイストラップ（７）、又はＵＫターンバックル（７）、又はナット付Ｌ棒、（以下、略して、パッドアイとする）を、波板形状をしたトタン板（２）に取り付けたあと、波板形状をしたトタン板（２）の裏面に取り付けているパッドアイ（７）に、先端部分がｎ字形状をしたナット付きＬ棒を使用して、波板形状をしたトタン板（２）を家屋を構成している屋根材の垂木（３）に、波板形状をしたトタン板（２）の裏面から垂木（３）に、波板形状をしたトタン板（２）を先端部分がｎ字形状をしたナット付きＬ棒と、波板形状をしたトタン板（２）に取り付けているパッドアイ（７）とを使用して、波板形状をしたトタン板（２）の裏面から垂木（３）に取り付けることを実施例１６とする。
【実施例１７】
【００３４】
波板形状をしたトタン板（２）、例えば、日新鋼板（株）が製造販売をしている商品名がＺＡＭ鋼板を使用した波板形状をしたトタン板の表面上に、(株)クリーンベンチャー２１の約直径の1mm球形シリコンｐｎ接合太陽電池面（１６）、導電性反射防止膜付の強化ガラス（１８）負電極と反射鏡（１７）からなる集光形太陽電池（１）を設置して、太陽電池の温度過熱を抑制するために、正電極の太陽電池下部（１９）を波板形状トタン板（２）の山部に密着して、トタン板（２）からも放熱することを特徴とした太陽電池（１）を形成した波板形状をしたトタン板（２）に取り付けることを実施例１７とする。
【実施例１８】
【００３５】
波板形状をしたトタン板（２）、例えば、日新鋼板（株）が製造販売をしている商品名がＺＡＭ鋼板を使用した波板形状をしたトタン板を反射鏡（１７）として、約1cm外径の円筒形シリコンｐｎ接合太陽電池面（１６）と強化ガラス（１８）と反射鏡（１７）正電極からなる集光形太陽電池（１）を一体的に形成して、太陽電池の温度過熱を抑制するために、トタン板（２）から放熱することを特徴として、太陽電池下部（１９）を正電極とした太陽電池（１）と波板形状をしたトタン板を一体化したことを実施例１８する。円筒形太陽電池面（１６）の内部に水を流すか、又はヒートパイブにして放熱すると、温水も得られる。
【産業上の利用可能性】
【００３６】
波板形状をしたトタン板（２）の表面上に太陽電池（１）を形成することにより、従来、同じ形状の波板形状をしたトタン板（２）を使用している、例えば、ニワトリ小屋の屋根材として使用をしている、同じ縦×横の寸法が全く同じ波板形状をしたトタン板と取り換えることにより、波板形状をしたトタン板（２）の表面上に太陽電池（１）を形成した、発電機能がある波板形状をしたトタン板（２）と取り換えることにより、太陽電池を取り付けるための構造物を形成することなく、容易に発電機能がある波板形状をしたトタン板（２）と取り換えることが出来る。
また、上記にて説明をした、日本国に於いては波板形状をしたトタン板は、ニワトリ小屋の屋根ぐらいにしか使用していない。けれども、世界中で最も暑くて、最も貧困の国々が多い熱帯地方である赤道地帯である東南アジア、サハラ砂漠以南のアフリカ、中国の南部地方、及びメキシコ以南の中南米では、主たる家屋の屋根材は波板形状をしたトタン板である。また、電気のインフラストラクチャーがない生活をしている家々も数多くある。この電気のインフラストラクチャーが全くない人々が居住をしている家々の主たる屋根材は波板形状をしたトタン板である。このインフラストラクチャーがない人々が居住をしている家々の屋根材である波板形状をしたトタン板と、全く同じ形状と寸法の発電機能がある波板形状をしたトタン板（２）と取り換えることにより、容易に電気の供給が出来ることになる。
さらに、波板形状をしたトタン板（２）をボルト（５）、又はナット（６）、又はフック（７）、又はパッドアイ（７）、又はロングアイ（７）、又はオープンパッドアイ（７）、又はアイストラップ（７）、又はＵＫターンバックル（７）、又はナット付Ｌ棒、（以下、略して、ナット、又はフック、又はアイとする）、又はその他の手段を使用して、家屋の屋根を構成している垂木（３）に波板形状をしたトタン板（２）の裏面から垂木（３）を取り付けることにより、波板形状をしたトタン板（２）の表面上に釘（４）を打ち付けることで発生をする傷口を一切損傷させることなく、家屋を構成している屋根材の垂木（３）に波板形状をしたトタン板（２）を、裏面から垂木（３）に取り付けて固定をするので、波板形状をしたトタン板（２）の表面上には一切傷口を発生させることなく波板形状をしたトタン板（２）を屋根材として使用することが出来るので、例えば、上記にて説明をした、商品名がガルバスター（ＺＧ）鋼板、又はＺＡＭ鋼板を使用して波板形状をしたトタン板（２）を形成すると耐用年数が、ガルバスター（ＺＧ）鋼板、又はＺＡＭ鋼板を製造販売している日新鋼板（株）が保証をしている、保証期間の１０年間の保証期間の３倍から５倍の３０年から５０年間、一切腐蝕をしない波板形状をしたトタン板（２）、及び平板で出来ているトタン板（８）を形成することが出来る。
さらに、波板形状をしたトタン板（２）、例えば、日新鋼板（株）の商品名がＺＡＭ鋼板を使用した波板形状をしたトタン板を反射鏡（１７）として、1cm円筒形シリコンｐｎ接合太陽電池面（１６）と強化ガラス（１８）と反射鏡（１７）負電極からなる集光形太陽電池（１）を一体的に形成して、トタン板（２）から放熱するため、太陽電池下部（１９）を正電極とした太陽電池（１）と波板形状をしたトタン板を一体化して、円筒形太陽電池面（１６）の内部に水を流すか、又はヒートパイブにして放熱すると、温水も得られる。
【符号の説明】
【００３７】
１  波板で出来ているトタン板、又はスレート波板(以下略して、トタン板とする)の表面上に太陽電池（以下、略して、太陽電池とする）を形成している。
２  波板で出来ているトタン板
３  垂木
４  釘
５  ボルト
６  ナット
７  フック、又はパッドアイ、又はロングアイ、又はオープンパッドアイ、又はアイストラップ、又はＵＫターンバックル、又はナット付Ｌ棒（以下、略して、ナット、又はフック、又はアイとする）
８  平板で出来ているトタン板
９  発泡スチロール、又はウレタン、又はその他の発泡物体で出来ている片面が波板形状で、もう一方の片面が平板形状で出来ている発泡物体（以下、略して、波板形状をした発泡スチロール製板とする）
１０  接着剤、又は接着層（以下、略して、接着層とする）
１１  発泡スチロール、ウレタン、又はその他の発泡物体で出来ている両側面が平板形状で出来ている発泡物体（以下、略して、平板形状をした発泡スチロール製板とする）
１２  雨水が進入をして漏水するのを防止する目的のパッキング（以下、略して、パッキングとする）
１３  溶接、又は金属接着剤を使用してボルト（５）、パッドアイを接合している部分（以下、略して、溶接部分、又は金属接着剤部分とする）
１４  先端部分がｎ字形状をしたナット付きＬ棒
１５  鋲（リベット）、又は鳩目（以下、略して、鋲とする）を使用して２枚の鉄板を接合している部分
１６  太陽電池面
１７  反射鏡
１８  強化ガラス
１９  太陽電池下部
【図１】
2013177782.tif 000003
【図２】
2013177782.tif 000004
【図３】
2013177782.tif 000005
【図４】
2013177782.tif 000006
【図５】
2013177782.tif 000007
【図６】
2013177782.tif 000008
【図７】
2013177782.tif 000009
【図８】
2013177782.tif 000010
【図９】
2013177782.tif 000011
【図１０】
2013177782.tif 000012
【図１１】
2013177782.tif 000013
【図１２】
2013177782.tif 000014
【図１３】
2013177782.tif 000015
【図１４】
2013177782.tif 000016
【図１５】
2013177782.tif 000017
【図１６】
2013177782.tif 000018
【図１７】
2013177782.tif 000019
【図１８】
2013177782.tif 000020
【図１９】
2013177782.tif 000021
【図２０】
2013177782.tif 000022
【図２１】
2013177782.tif 000023
【図２２】
2013177782.tif 000024
【図２３】
2013177782.tif 000025
【図２４】
2013177782.tif 000026
【図２５】
2013177782.tif 000027
【図２６】
2013177782.tif 000028
【図２７】
2013177782.tif 000029
【図２８】
2013177782.tif 000030
【図２９】
2013177782.tif 000031
【図３０】
2013177782.tif 000032
【図３１】
2013177782.tif 000033
【図３２】
2013177782.tif 000034
【図３３】
2013177782.tif 000035
【図３４】
2013177782.tif 000036
【図３５】
2013177782.tif 000037